(57)【要約】【課題】  セキュアジョブのジョブ出力時の認証を確実に行い、かつ、ユーザにとって利用しやすい方法で実現することの出来る周辺機器管理システムを提供する。【解決手段】  ネットワークを介して相互に接続された情報処理装置及び周辺機器で構成される周辺機器管理システムにおいて、前記周辺機器は電話の着信が可能な電話機能を有する。前記情報処理装置が周辺機器に送信するジョブは発信電話番号通知によるセキュアジョブモードであることを設定可能であり、前記周辺機器は前記セキュアジョブモードを指定されたジョブをすぐに出力せずに一旦蓄積する。前記周辺機器は電話の着信時に蓄積したセキュアジョブの出力処理を開始することを特徴とする。【選択図】        図１
2006217351.tif 000002
【特許請求の範囲】
【請求項１】
ネットワークを介して接続された情報処理装置および周辺機器で構成され、前記周辺機器は前記ネットワークを介して前記情報処理装置から送信されるジョブを処理する周辺機器管理システムにおいて、
前記情報処理装置は前記周辺機器に送信するジョブに対して出力時に電話の発信電話番号通知が必要であること指定するセキュアジョブモード指定手段と、
前記発信電話番号通知を行う発信側電話番号を指定する発信電話番号指定手段と、
前記発信電話番号指定手段によって指定された発信電話番号を、前記セキュアジョブモードを指定するジョブに設定して前記ジョブを送信するジョブ送信手段とを有し、
前記周辺機器は外部からかけた電話を着信させて発信電話番号を識別することが可能な電話着信機能と、
前記情報処理装置から送信されるジョブを解析してジョブに指定された前記セキュアジョブモードと前記発信電話番号を識別するジョブ解析手段と、
前記セキュアジョブモードであるときは受信したジョブをすぐに出力せずに一旦保持するセキュアジョブ保持手段と、
前記電話着信機能によって着信した電話で通知された発信電話番号とジョブで指定された発信電話番号とを比較する電話番号比較手段と、
前記電話番号比較手段によって電話番号が一致したときのみ前記ジョブを出力するセキュアジョブ出力手段とを有することを特徴とする周辺機器管理システム。
【請求項２】
請求項１に記載の周辺機器管理システムにおいて、
前記セキュアジョブ出力手段は電話番号が一致したジョブ全てを直ちに出力することを特徴とする周辺機器管理システム。
【請求項３】
請求項１に記載の周辺機器管理システムにおいて、
前記セキュアジョブ出力手段は電話番号が一致したジョブのリストからユーザに出力するジョブを選択させることを特徴とする周辺機器管理システム。
【発明の詳細な説明】
【技術分野】
【０００１】
本発明は、ネットワークを介した周辺機器制御、特にセキュリティを確保したジョブ出力制御を行う周辺機器、情報処理装置を含む周辺機器管理システムに関する。
【背景技術】
【０００２】
従来の技術においては、セキュリティを確保したジョブ出力制御として、周辺機器が受信したジョブをすぐに出力せずに一旦周辺機器内で保持して、ユーザが周辺機器のユーザーインターフェースからジョブ投入時にジョブに指定したパスワードを入力することによりジョブ出力を開始するセキュアジョブ機能があった（例えば、特許文献１参照。）。
【特許文献１】特開平１１−２１２７４４号公報
【発明の開示】
【発明が解決しようとする課題】
【０００３】
しかしながら、従来技術においては以下の問題があった。
【０００４】
セキュアジョブ機能はジョブに対して設定されたパスワードを周辺機器側でユーザが入力する必要があり、以下の二つの問題があった。
【０００５】
一つ目の問題として、プリンタなどのユーザーインターフェースでは入力部及び出力部が充実していない場合が多く、乏しいユーザーインターフェースを使ってパスワードを入力する必要があった。このため、ユーザのパスワード入力に必要なオペレーション回数が多くなり、セキュアジョブの出力を行うユーザの手間や時間が掛かっていた。
【０００６】
二つ目の問題として、ジョブに設定されたパスワードを盗み見したり、ジョブの解析を行ったりしてパスワードが漏洩した場合にはジョブを投入したユーザが意図しない第３者によってジョブを出力することが可能であった。さらに、パスワードが漏洩しなくてもパスワードの組み合わせを全て試せば同様に第３者によって出力が可能であるという問題もあった。
【０００７】
本発明は以上のような問題を鑑みてなされたものであり、ユーザにとって利用しやすいセキュアジョブ機能を提供するとともに、パスワードによる出力制御に代わってよりセキュリティの高い確実な周辺機器管理システムを提供する。
【課題を解決するための手段】
【０００８】
本発明に係る第１の発明においては、ネットワークを介して接続された情報処理装置および周辺機器で構成され、前記周辺機器は前記ネットワークを介して前記情報処理装置から送信されるジョブを処理する周辺機器管理システムにおいて、
前記情報処理装置は前記周辺機器に送信するジョブに対して出力時に電話の発信電話番号通知が必要であること指定するセキュアジョブモード指定手段と、
前記発信電話番号通知を行う発信側電話番号を指定する発信電話番号指定手段と、
前記発信電話番号指定手段によって指定された発信電話番号を、前記セキュアジョブモードを指定するジョブに設定して前記ジョブを送信するジョブ送信手段とを有し、
前記周辺機器は外部からかけた電話を着信させて発信電話番号を識別することが可能な電話着信機能と、
前記情報処理装置から送信されるジョブを解析してジョブに指定された前記セキュアジョブモードと前記発信電話番号を識別するジョブ解析手段と、
前記セキュアジョブモードであるときは受信したジョブをすぐに出力せずに一旦保持するセキュアジョブ保持手段と、
前記電話着信機能によって着信した電話で通知された発信電話番号とジョブで指定された発信電話番号とを比較する電話番号比較手段と、
前記電話番号比較手段によって電話番号が一致したときのみ前記ジョブを出力するセキュアジョブ出力手段とを有することを特徴とする。
【０００９】
本発明に係る第２の発明において、
前記セキュアジョブ出力手段は電話番号が一致したジョブ全てを直ちに出力することを特徴とする。
【００１０】
本発明に係る第３の発明において、
前記セキュアジョブ出力手段は電話番号が一致したジョブのリストからユーザに出力するジョブを選択させることを特徴とする。
【発明の効果】
【００１１】
本発明に係る第１の発明においては、ネットワークを介して接続された情報処理装置および周辺機器で構成され、前記周辺機器は前記ネットワークを介して前記情報処理装置から送信されるジョブを処理する周辺機器管理システムにおいて、前記情報処理装置は前記周辺機器に送信するジョブに対して出力時に電話の発信電話番号通知が必要であること指定するセキュアジョブモード指定手段と、前記発信電話番号通知を行う発信側電話番号を指定する発信電話番号指定手段と、前記発信電話番号指定手段によって指定された発信電話番号を、前記セキュアジョブモードを指定するジョブに設定して前記ジョブを送信するジョブ送信手段とを有し、前記周辺機器は外部からかけた電話を着信させて発信電話番号を識別することが可能な電話着信機能と、前記情報処理装置から送信されるジョブを解析してジョブに指定された前記セキュアジョブモードと前記発信電話番号を識別するジョブ解析手段と、前記セキュアジョブモードであるときは受信したジョブをすぐに出力せずに一旦保持するセキュアジョブ保持手段と、前記電話着信機能によって着信した電話で通知された発信電話番号とジョブで指定された発信電話番号とを比較する電話番号比較手段と、前記電話番号比較手段によって電話番号が一致したときのみ前記ジョブを出力するセキュアジョブ出力手段とを有することにより、ユーザが発信電話番号通知によるセキュアジョブ投入時に指定した電話番号の電話から出力する周辺機器に対して電話を発信して発信電話番号を通知したときのみ、該ジョブを出力することができる。
【００１２】
本発明に係る第２の発明においては、前記セキュアジョブ出力手段は電話番号が一致したジョブ全てを直ちに出力することにより、ユーザが前記一致した電話番号により発信電話番号通知によるセキュアジョブ投入を行った全てのジョブを直ちに出力することができる。
【００１３】
本発明に係る第３の発明においては、前記セキュアジョブ出力手段は電話番号が一致したジョブのリストからユーザに出力するジョブを選択させることにより、
ユーザが前記一致した電話番号により発信電話番号通知によるセキュアジョブ投入を行ったジョブから出力したいジョブだけを出力することができる。
【００１４】
以上説明したように本発明によれば、ジョブを出力するときに、セキュアジョブ投入時に指定した発信電話番号通知させる電話番号の電話から周辺機器に電話をかけることにより、セキュアジョブ出力時の認証を簡単かつ確実に行える。また、発信電話番号通知は偽装される可能性が低いためセキュアジョブに設定した出力時に必要な発信電話番号を参照されてもユーザが意図しない第３者によってジョブを出力される危険性が非常に低く、ジョブに設定する電話番号の暗号化などの処理を行わなくてもよい。さらに、該発信電話番号としてジョブ出力をさせたい別のユーザの電話番号を指定すれば、確実に指定ユーザだけにジョブを出力させる親展プリント機能を実現することができるという効果を奏する。
【発明を実施するための最良の形態】
【００１５】
以下本発明を実施するための最良の形態を、実施例により詳しく説明する。
【実施例】
【００１６】
図１は、本発明の一実施形態を示す周辺機器管理システムの構成の一例を示す。
【００１７】
図１において、ＭＦＰ１０１は周辺機器管理システムにおいて管理対象となるネットワーク１１０に接続された周辺機器であり、プリントジョブ及びスキャナジョブ及びコピージョブ及びＦＡＸ送信ジョブ及びＦＡＸ受信ジョブ及びスキャン画像送信ジョブを処理可能なマルチ・ファンクション・ペリフェラルを示す。本発明においては、周辺機器管理システムを構成する周辺機器は、１０１のようなＭＦＰであってもよいし、プリンタでも、ＦＡＸやスキャナもしくはそれ以外のネットワークに接続可能な周辺機器であっても良い。
【００１８】
ＰＣ１０２はユーザが周辺機器管理システムを使用する場合に利用するパーソナルコンピュータなどのネットワーク１１０に接続された情報処理装置を示し、ドライバソフトウェアやアプリケーションなどが動作しネットワークを介してＭＦＰ１０１にジョブを送信したり、ジョブ管理を行う。
【００１９】
電話回線網１０３はＭＦＰ１０１とつながった電話回線網であり、電話回線網１０３を通じて外部から電話の着信が可能なＭＦＰ１０１に対して電話を発信することができ、また着信したＭＦＰ１０１に対して発信側の電話番号を通知することが可能である。電話回線網１０３は発信電話番号通知を行うことが可能な電話回線網であれば、一般の公衆回線網であってもよいし、社内専用線による社内電話回線網やもしくは電話回線網に接続されている電話相互の発着信を可能とするその他の電話回線網であってもよい。また、ＭＦＰ１０１は電話の着信のみが可能であればよく、電話の発信はできなくともよい。
【００２０】
本実施例ではＰＣ１０２はネットワーク１１０を介してＭＦＰ１０１と通信を行い、ユーザによって投入されたジョブをＭＦＰ１０１に対して送信し、ジョブ処理の依頼を行う。ＭＦＰ１０１はネットワーク１１０を介してＰＣ１０２から送信されたジョブを受信して処理する。これらの装置が相互に通信し、機器情報やジョブデータなどを送受信して動作することで周辺機器管理システムを動作させる。
【００２１】
図２は本発明の一実施形態を表す周辺機器の全体構成を示す。
【００２２】
図２において、２０１は周辺機器を制御するためのコントローラであり、図３に示すようなハードウェア構成を有している。２０２はコントローラ２０１が周辺機器の外部と通信するための通信インターフェースであり、例えば、イーサネット（登録商標）インターフェースやＩＥＥＥ１２８４インターフェース、もしくはその他の通信インターフェースであってもよい。２０３はスキャナエンジンであり、コントローラ２０１によって制御されている。２０４はプリンタエンジンであり、コントローラ２０１によって制御されており、例えば、レーザービームプリンタやインクジェットプリンタ、もしくはその他のプリンタであってもよい。２０５は画像の送受信時の通信制御などＦＡＸ機能を実現するためのＦＡＸボードであり、コントローラ２０１によって制御されている。２０６はユーザーインターフェースであり、ＬＣＤディスプレイとキーボードから構成されており、コントローラ２０１からの情報表示を行うとともにユーザからの指示をコントローラ２０１に伝える。ユーザはユーザーインターフェース２０６または通信インターフェース２０２によりネットワーク１１０を介して接続されたＰＣ１０２やＰＣ１０３を使用してコントローラ２０１に対してジョブを送信する。２０７は外部からの電話の着信が可能な電話機能であり、コントローラ２０１によって制御されている。電話機能２０７によって電話回線網１０３で接続された電話がＭＦＰ１０１に対して電話を発信し、ＭＦＰ１０１が電話を着信させることができ、発信電話番号通知を受けることができる。
【００２３】
以上のような構成を有する周辺機器は、プリンタエンジン２０４を選択させて、プリントジョブの発行を可能にする。また、プリンタエンジン２０４とスキャナエンジン２０３を選択させて、コピージョブの発行を可能にする。また、プリンタエンジン２０４とスキャナエンジン２０３、ＦＡＸボード２０５を選択させてＦＡＸ受信ジョブ及び、ＦＡＸ送信ジョブの発行を可能にする。さらにスキャナエンジンを選択させてスキャン画像送信ジョブの発行を可能にする。
【００２４】
図３は、図２のコントローラ２０１を中心としたハードウェア構成を示した概略図である。図２のコントローラ２０１では、図３における、ＣＰＵ３０１と、ＲＡＭ３０２と、ＬＣＤ３０３と、キーボード３０４と、ＲＯＭ３０５と、通信インターフェース３０６と、スキャナエンジン３０７と、プリンタエンジン３０８と、ＦＡＸボード３０９と、ＤＩＳＫ３１０と、電話機能３１１とが、システムバス３２０を介して相互に接続されている。図２のコントローラ２０１を制御するプログラムは、ＲＯＭ３０５もしくはＤＩＳＫ３１０に記憶されており、必要に応じてＲＡＭ３０２に読み出され、ＣＰＵ３０１によって実行される。また、ＲＯＭ３０５、ＤＩＳＫ３１０には制御プログラム以外にも周辺機器や当該周辺機器で処理されるジョブの、機能及び状態を示す属性情報や出力の対象となるジョブデータなどを記憶している。また、ＣＰＵ３０１がＬＣＤ３０３を通して表示を行い、キーボード３０４からユーザの指示を受ける。また、ＣＰＵ３０１が通信インターフェース３０６を通じて外部と通信を行う。
【００２５】
本実施例では、特に断らない限り、図２の周辺機器では、ＣＰＵ３０１がシステムバス３２０を介してキーボード３０４からユーザの入力を受け取り、かつ、ＲＡＭ３０２と、ＬＣＤ３０３と、ＲＯＭ３０５と、通信インターフェース３０６と、スキャナエンジン３０７と、プリンタエンジン３０８と、ＦＡＸボード３０９と、ＤＩＳＫ３１０と、電話機能３１１とを制御し実施する。
【００２６】
図４は、図１のＰＣ１０２で示す情報処理装置のハードウェア構成を示す。
【００２７】
図４において、ＣＰＵ４０１とＲＡＭ４０２とＣＲＴ４０３とキーボード４０４とＲＯＭ４０５とＤＩＳＫ４０６と通信インターフェース４０７とがシステムバス４２０を介して相互に接続されている。情報処理装置を制御するプログラムは、ＲＯＭ４０５もしくはＤＩＳＫ４０６に記憶されており、必要に応じてＲＡＭ４０２に読み出され、ＣＰＵ４０１によって実行される。また、ＣＰＵ４０１が通信インターフェース４０７を通じて外部と通信を行う。通信インターフェース４０７は、イーサネット（登録商標）などのネットワークインターフェースでもよいし、ＩＥＥＥ１３９４やＵＳＢまたはブルートゥースなどの無線通信インターフェースであってもよい。
【００２８】
本実施例では、図４に示した情報処理装置では、ＣＰＵ４０１がシステムバス４２０を介してキーボード４０４からユーザの入力を受け取り、且つ、ＲＡＭ４０２と、ＣＲＴ４０３と、ＲＯＭ４０５と、ＤＩＳＫ４０６と、通信インターフェース４０７とを制御し実施する。
【００２９】
図５は情報処理装置がネットワークを介して周辺機器に送信するジョブの構成の一例を示す図である。図５において、ジョブ開始端子５０１はジョブ全体の始点を示す識別情報であり、ジョブ終端子５０４はジョブ全体の終端を示す識別情報であり、ジョブ開始端子５０１とジョブ終端子５０４でジョブ全体を識別する。ジョブ属性のリスト５０２はジョブの特性や種類を示すジョブの属性のリストを示す。ジョブの属性について、詳細は後述する。ジョブデータ５０３は実行しようとするジョブのドキュメントデータ自体そのものを示す。例えばページ記述言語によって表現されたドキュメントデータやイメージデータである。次に属性のリスト５０２の詳細について説明する。列５１１と列５１２は属性リスト５０２の詳細を示し、それぞれ属性名と属性値を示す。列５１１で示されるのは属性を識別するものであればよく例えば数値による属性識別番号でもよいし、文字列であってもよいし、その他の属性識別子であってもよい。また、列５１２では列５１１で示す属性の値を示す。図５で示すジョブを構成する属性のリストでは、ＰＣ１０２がＭＦＰ１０１内に生成されたジョブを識別するクライアントのジョブ識別子５２１は「１２３４」であり、ＰＣ１０２によって設定されたジョブ名５２３は「特許明細書」であり、ジョブ種別５２５は「プリントジョブ」であり、カラー印刷５２７は「する」であり、セキュアジョブモード５２９は「発信電話番号通知によるセキュアジョブ」であり、発信電話番号５３１は「０９０１１１１２２２２」であることをそれぞれ示す。ジョブの属性のリスト５０２によってＰＣ１０２はＭＦＰ１０１に送信して実行しようとするジョブの特性および種類などの詳細を設定することができ、ＭＦＰ１０１は受信したジョブの特性や種類などの詳細を識別することができる。
【００３０】
図６は本実施例の周辺機器管理システムが図５で示すようなジョブを受信して処理する一連のシーケンス図である。図６において、ＰＣ６０２、ＭＦＰ６０３はそれぞれ図１のＰＣ１０２、ＭＦＰ１０１に対応する。ユーザ６０１はＰＣ６０２にジョブを送信させてＭＦＰ６０３にジョブを処理させようとするユーザである。ＰＣ６０２はユーザ６０１がＭＦＰ６０３にジョブを送信するために使用する情報処理装置である。ＰＣ６０２はユーザ６０１の指示によってジョブをＭＦＰ６０３に送信する。ＭＦＰ６０３はＰＣ６０２から送信されたジョブを受信して処理する周辺機器である。携帯電話６０４は電話回線網１０３を介してＭＦＰ６０３に電話を発信可能な携帯電話機であり、発信電話番号通知を指定することが可能である。携帯電話６０４はＭＦＰ６０３に対して電話を発信して発信電話番号通知を行うことが可能な電話であれば、公衆回線網を利用する携帯電話でもよいし、社内専用回線を利用する携帯電話、ＰＨＳなどであってもよく、固定電話であってもよい。
【００３１】
次に図６の各シーケンスのステップごとに説明をする。ステップ６１１はジョブの属性指定動作を示す。ユーザ６０１は、送信させようとするジョブに対してステップ６１１によってセキュアジョブモードを指定し出力時に着信させる電話番号を指定する。ステップ６１２はジョブの送信を示す。ＰＣ６０２はステップ６１１によって指定された属性をジョブに設定し、ＭＦＰ６０３に送信する。送信するジョブの構成の一例は図５で説明したとおりであり、発信電話番号通知によるセキュアジョブモードの指定と出力時に着信させる電話番号の指定を含む。ステップ６１３はステップ６１２で送信されたジョブをＭＦＰ６０３が受信して処理を開始する。ステップ６１３ではＭＦＰ６０３は受信したジョブを解析し、解析したジョブのセキュアジョブモードの属性が発信番号通知によるセキュアジョブモードであれば即時に出力を行わずにＤＩＳＫ３１０などに一旦記憶してジョブ処理を中断し電話の着信待機を行う。ＭＦＰ６０３が受信したジョブを解析して出力する一連のジョブ処理の詳細は、図９で説明する。ステップ６１４はユーザ６０１がＭＦＰ６０３の電話番号を携帯電話６０４に入力してＭＦＰ６０３に電話を着信させる処理を示す。ここで、ユーザ６０１はジョブ送信後にＭＦＰ６０３の傍に移動してＭＦＰ６０３の電話番号を入力して発信し、電話回線網１０３を介してＭＦＰ６０３へと着信することができる。ステップ６１５はステップ６１４でユーザ６０１によって入力された電話番号による携帯電話６０４からＭＦＰ６０３への電話の発信を示す。このとき、携帯電話６０４は電話番号を通知させ、ＭＦＰ６０３は電話の着信と同時に発信側の携帯電話６０４の電話番号を受信することができる。ステップ６１６はＭＦＰ６０３がステップ６１５で着信した電話の発信電話番号をステップ６１３で蓄積したセキュアジョブに設定されている発信電話番号と照会する処理を示す。照会の結果着信した電話の発信電話番号と同じ電話番号が設定された蓄積ジョブが見つかれば、ステップ６１７でＭＦＰ６０３のユーザーインターフェース２０６を介して該当するジョブの一覧を表示し、ユーザ６０１に出力の可否を選択させる。ここではＭＦＰ６０３はジョブの一覧を表示することなく、該当するジョブを自動的に処理して出力してもよい。ステップ６１８ではユーザ６０１がステップ６１７でのユーザ６０１の出力選択を受け付ける。ここでの出力選択は、該当するジョブの一部でも良いし、その全てでもよい。ステップ６１９はステップ６１８でユーザ６０１から受け付けた出力選択によって出力を選択されたジョブを出力する処理を示す。ステップ６１９では、ユーザはＭＦＰ６０３の傍に位置して出力されると同時に出力物を取得することができる。例えば、印刷であれば印刷物を第３者に取得されること無くその場で確実に取得する。
【００３２】
以上のシーケンスによってユーザによって指定された発信電話番号通知によるセキュアジョブが送信され、発信電話番号通知によって出力されることができる。
【００３３】
図７は図６のステップ６１１でユーザ６０１がＰＣ６０２にジョブのセキュアジョブモードの設定をさせるときのＰＣ６０２のＣＲＴ４０３による表示を示す。７０１は発信電話番号通知によるセキュアジョブの指定を示す。発信電話番号通知によるセキュアジョブでは、送信したジョブはすぐに出力は行われずＭＦＰ６０３で一旦蓄積され、ＭＦＰ６０３に対して指定した電話番号による発信電話番号通知があった場合に出力可能となる。７０２はパスワードによるセキュアジョブの指定を示す。パスワードによるセキュアジョブでは、送信したジョブはすぐに出力は行われずＭＦＰ６０３で一旦蓄積され、ＭＦＰ６０３に対して指定したパスワードの入力があった場合に出力可能となる。７０３はＩＣカードによるセキュアジョブの指定を示す。ＩＣカードによるセキュアジョブでは、送信したジョブはすぐに出力は行われずＭＦＰ６０３で一旦蓄積され、ＭＦＰ６０３に対して送信時の認証に使用したＩＣカードが入力された場合に出力可能となる。ＯＫボタン７０４及びキャンセルボタン７０５はそれぞれ図７で示すジョブのセキュアジョブモードの設定を確定させる時と取り消すときに押し下げされ、選択されたセキュアジョブモードの設定がジョブの属性に反映される。
【００３４】
図８は図７のセキュアジョブモードの設定表示で発信電話番号通知によるセキュアジョブ７０１が選択され決定された場合に続いてＰＣ６０２のＣＲＴ４０３によって表示される発信電話番号通知の設定表示を示す。通知させる発信電話番号８０１は図６のステップ６１５でＭＦＰ６０３に電話を着信させて通知させ、ジョブを出力することができる電話番号の設定を示す。ＯＫボタン８０２は８０１の設定を確定させるときに押し下げされ、入力された発信電話番号の設定がジョブの属性に反映される。ユーザ６０１は着信させる電話番号を入力してＯＫボタン８０２を押し下げする。ここで入力する電話番号はユーザ６０１が使用する携帯電話の電話番号でもよいし、それ以外の該ジョブの出力を受け取らせたい別のユーザが使用する携帯電話等の電話番号でも良い。自分の電話番号を設定すれば、自分自身だけが確実に出力を得ることができるし、別のユーザの電話番号を設定すれば、そのユーザに対してのみ出力させることができ親展プリントの機能を実現することができる。
【００３５】
図９は図６のステップ６１２によってＭＦＰ６０３が発信電話番号通知によるセキュアジョブモードを設定されたジョブを受信した時の処理の流れを示す。ここで、ＭＦＰ６０３はこの処理以前に図５で示すような受信したジョブを解析して、設定されたジョブの属性から該ジョブが発信電話番号通知によるセキュアジョブであることを認識しているものとする。ステップ９０１では受信したジョブがすぐに出力を行わないセキュアジョブであるため、受信したジョブをＤＩＳＫ３１０に記憶させてジョブの蓄積を行う。ジョブの蓄積を完了したら、ステップ９０２へと進む。ステップ９０２ではステップ９０１で蓄積したジョブをＤＩＳＫ３１０で記憶するセキュアジョブリストに登録する。蓄積したセキュアジョブは、外部からの操作によって出力が完了するか蓄積時間のタイムアウトによる自動消去やＭＦＰ６０３の外部からのジョブ削除指示によって蓄積したジョブが削除されるまで登録したセキュアジョブリストに存在することになる。次にステップ９０３へと進む。ステップ９０３では、電話の着信を待機する無限ループに入ってＭＦＰ６０３に対する外部からの電話の着信待ちを行う。電話の着信があるまでは繰り返しステップ９０３で着信を待つ。電話の着信があった場合にはステップ９０４へと進む。ステップ９０４ではステップ９０３で着信した外部からの電話の発信電話番号通知を確認し、発信元の電話番号を取得する。次に取得した電話番号を使用してステップ９０２で登録を行ったセキュアジョブリストを検索して、通知された電話番号とＭＦＰ６０３が記憶するセキュアジョブリスト内のジョブの属性に設定された発信電話番号とが一致するものを列挙する。一致するものがなかったときは、例えば何も動作を行わなくてもよいしＭＦＰ６０３のＬＣＤ３０３を通じて一致するジョブが無かったことを表示したりしてもよい。電話番号が一致するものが列挙したら次のステップ９０５へと進む。ステップ９０５では、ステップ９０４で列挙したジョブの一覧をＭＦＰ６０３のＬＣＤ３０３で表示する。ステップ９０５での表示内容の詳細は図１０で説明する。さらにユーザ６０１にステップ９０５で表示したジョブの一覧から出力を行うジョブを選択させるかもしくは出力の可否を選択させてステップ９０６へと進む。ステップ９０６では、ステップ９０５で列挙したセキュアジョブの出力がそれぞれ許可されたかどうかを判断する。ユーザ６０１によって列挙したジョブのうち一つの出力も許可されなかった場合には、ステップ９０３へと戻り再び電話の着信待ちのループに入る。列挙したジョブのうち一つ以上が出力許可された場合にはステップ９０７へと進む。ステップ９０７ではステップ９０６でユーザ６０１によって出力許可されたジョブを出力して次のステップへと進む。ステップ９０８ではセキュアジョブリストを参照して、ＭＦＰ６０３が蓄積して保持しているセキュアジョブが一つ以上あるかどうかを調べる。保持するセキュアジョブが一つでもあれば、ステップ９０３へと戻ってさらに電話の着信待ちを行う。保持するセキュアジョブが一つもなければ処理を完了する。図９においてはステップ９０５及びステップ９０６で着信した電話の発信電話番号通知に対応する一つ以上のジョブを表示してそれぞれ出力するか否かをユーザ６０１に選択させたが、ステップ９０５及びステップ９０６を省略し、対応するジョブは自動的に出力させる処理を行う構成であっても良い。
【００３６】
図１０は図９のステップ９０５でＭＦＰ６０３がＬＣＤ３０３で表示するセキュアジョブの出力確認表示を示す。ここではステップ９０３で着信した電話の電話番号通知によって通知された電話番号「０９０１１１１２２２２」と同じ電話番号が出力時に必要な発信電話番号として設定されてＭＦＰ６０３に蓄積されたセキュアジョブのリストが表示される。リストのタイトル１００１は、ジョブリストがそれぞれのジョブのジョブ名、ジョブオーナー、投入時刻を示すことを示す。このジョブリストの表示は一例であって、少なくともユーザ６０１がジョブを識別できる情報が含まれれば他にジョブ種別やページ数などが表示されてもよい。ジョブ１００３はジョブ名が「外部仕様書」、ジョブオーナーが「ｓｕｚｕｋｉ」、ジョブ投入時刻が「９：１０」であることを示す。ジョブリストの参照の仕方はジョブ１００３についても同様である。ＯＫボタン１００４及びキャンセルボタン１００５はそれぞれ図１０で示すジョブリスト内のジョブを選択させて、選択したジョブの出力を確定させる時と出力を取り消すときに押し下げされる。ＯＫが押し下げされたときには選択されたセキュアジョブが直ちに出力され、キャンセルが押し下げされたときにはセキュアジョブは出力されない。図１０はジョブリストを表示して出力させるジョブを選択させるが、選択をさせずにジョブリストを表示して全て出力するか全て出力しないかどうかだけを選択させる構成であっても良いし、図１０で示すような表示自体を行わず、自動的に該当するジョブリスト全てを出力する構成であってもよい。
【図面の簡単な説明】
【００３７】
【図１】本発明の周辺機器管理システムの構成の一例を示す図である。
【図２】本発明の周辺機器の構成の一例を示す図である。
【図３】図２のコントローラのハードウェア構成の一例を示す図である。
【図４】本発明の情報処理装置のハードウェア構成の一例を示す図である。
【図５】情報処理装置が周辺機器に送信するジョブの構成の一例を示す図である。
【図６】本発明の周辺機器管理システムがジョブ処理を行う一連のシーケンスの一例を示す図である。
【図７】情報処理装置がユーザにセキュアジョブモードの設定させる表示の一例を示す図である。
【図８】ユーザが発信電話番号通知の設定を行う表示の一例を示す図である。
【図９】周辺機器が発信電話番号通知によるセキュアジョブを受信したときの処理のフローである。
【図１０】周辺機器がユーザに発信電話番号通知によるセキュアジョブの出力を選択させる表示の一例を示す図である。
【符号の説明】
【００３８】
６０１  ユーザ
６０２、１０２  ＰＣ（情報処理装置）
６０３、１０１  ＭＦＰ（周辺機器）
６０４  携帯電話
１０３  電話回線網
１１０  ネットワーク
【図１】
2006217351.tif 000003
【図２】
2006217351.tif 000004
【図３】
2006217351.tif 000005
【図４】
2006217351.tif 000006
【図５】
2006217351.tif 000007
【図６】
2006217351.tif 000008
【図７】
2006217351.tif 000009
【図８】
2006217351.tif 000010
【図９】
2006217351.tif 000011
【図１０】
2006217351.tif 000012